(57)【要約】【課題】ハウジングへの洗浄槽の押し込み時に下降して洗浄槽の上面を閉塞する上蓋３に、洗浄槽の上面周縁部に当接して洗浄槽をシールするように設けられるパッキン７の取付け構造であって、上蓋が、合成樹脂製の蓋本体３０と、蓋本体の周縁に取り付けられる、蓋本体の反りを防止する金属製の補強枠３１とで構成されるものにおいて、補強枠を有効利用してパッキンを確実に抜け止めできるようにする。【解決手段】パッキン７の上蓋３に対する係止部７ｂの上端に外方に屈曲するフック部７ｃを形成すると共に、蓋本体３０の下面周縁部に、フック部７ｃを受け入れ可能な幅のパッキン装着溝３２を形成する。そして、補強枠３１の下縁に内方に屈曲する折曲げ部３１ｂを形成し、この折曲げ部３１ｂをフック部７ｃの下面に係合させて、パッキン７を抜け止めする。【選択図】図３
2005177281.tif 000002
【特許請求の範囲】
【請求項１】
ハウジング内から前方に引出し自在な上面を開放面とする洗浄槽と、ハウジング内の上部に上下動自在に支持され、ハウジングへの洗浄槽の押し込み時に下降して洗浄槽の上面を閉塞する上蓋とを備える食器洗浄機の上蓋に、洗浄槽の上面周縁部に当接して洗浄槽をシールするように設けられるパッキンの取付け構造であって、
上蓋が、合成樹脂製の蓋本体と、蓋本体の周縁に取り付けられる金属製の補強枠とで構成されるものにおいて、
パッキンに、洗浄槽の上面周縁部に当接するパッキン本体から上方に延出された上蓋に対する係止部を形成し、この係止部の上端に、上蓋の外縁側に屈曲するフック部を形成すると共に、上蓋の蓋本体の下面周縁部に、フック部を受け入れ可能な幅のパッキン装着溝を形成し、更に、補強枠の下縁に内方に屈曲する折曲げ部を形成し、この折曲げ部をパッキン装着溝に挿入されたフック部の下面に係合させて、パッキンを抜け止めすることを特徴とする食器洗浄機におけるパッキンの取付け構造。
【請求項２】
前記折曲げ部の先端に折返し部を形成することを特徴とする請求項１記載の食器洗浄機におけるパッキンの取付け構造。
【発明の詳細な説明】
【技術分野】
【０００１】
本発明は、上面を開放面とする洗浄槽をハウジングから前方に引出し自在とした、所謂引出し式の食器洗浄機におけるパッキンの取付け構造に関する。
【背景技術】
【０００２】
従来、この種の引出し式食器洗浄機として、ハウジング内の上部に洗浄槽用の上蓋を上下動自在に支持し、ハウジングへの上蓋の押し込み時に上蓋を下降させて、洗浄槽の上面を閉塞するようにしたものが知られている(例えば、特許文献１参照)。そして、このものでは、上蓋に、洗浄槽の上面周縁部に当接するパッキンを取付けて、洗浄槽のシール性を確保できるようにしている。ここで、パッキンには、洗浄槽の上面周縁部に当接するパッキン本体から上方に延出された上蓋に対する係止部が形成されており、上蓋の下面周縁部に形成したパッキン装着溝に係止部を圧入することで、パッキンを上蓋に取付けている。
【０００３】
ところで、食器洗浄機では、洗浄中に飯粒等の粘着性を持つ物質がパッキンに飛散して、パッキンが洗浄槽に貼り付くことがある。このように洗浄槽に対するパッキンの貼り付きを生ずると、パッキンの係止部をパッキン装着溝に圧入しただけでは、上蓋を上昇させたときに、パッキン装着溝から係止部が引き抜かれて、パッキンが上蓋から脱落する可能性がある。この場合、係止部をパッキン装着溝に接着固定することも考えられるが、パッキンは消耗品であって、パッキンの交換が必要になるため、係止部をパッキン装着溝に接着固定することはできない。
【特許文献１】特表２００１−５０９０５５号公報(第２６頁、図４１，４２)
【発明の開示】
【発明が解決しようとする課題】
【０００４】
ところで、食器洗浄機の上蓋を合成樹脂製とする場合、或る程度使用すると上蓋の反りを生ずることがある。そこで、上蓋を、合成樹脂製の蓋本体と、蓋本体の周縁に取り付けた金属製の補強枠とで構成し、蓋本体の反りを補強枠で防止できるようにするのが一般的である。
【０００５】
本発明は、この補強枠を有効利用して、パッキンの脱落を確実に防止できるようにした食器洗浄機におけるパッキンの取付け構造を提供することをその課題としている。
【課題を解決するための手段】
【０００６】
本発明は、ハウジング内から前方に引出し自在な上面を開放面とする洗浄槽と、ハウジング内の上部に上下動自在に支持され、ハウジングへの洗浄槽の押し込み時に下降して洗浄槽の上面を閉塞する上蓋とを備える食器洗浄機の上蓋に、洗浄槽の上面周縁部に当接して洗浄槽をシールするように設けられるパッキンの取付け構造であって、上蓋が、合成樹脂製の蓋本体と、蓋本体の周縁に取り付けられる金属製の補強枠とで構成されるものにおいて、上記課題を解決するために、パッキンに、洗浄槽の上面周縁部に当接するパッキン本体から上方に延出された上蓋に対する係止部を形成し、この係止部の上端に、上蓋の外縁側に屈曲するフック部を形成すると共に、上蓋の蓋本体の下面周縁部に、フック部を受け入れ可能な幅のパッキン装着溝を形成し、更に、補強枠の下縁に内方に屈曲する折曲げ部を形成し、この折曲げ部をパッキン装着溝に挿入されたフック部の下面に係合させて、パッキンを抜け止めしている。
【０００７】
本発明によれば、補強枠の下縁の折曲げ部がパッキンのフック部に係合しているため、上蓋の上昇に際し、パッキンが洗浄槽に貼り付いていても、パッキン装着溝からフック部が引き抜かれることはなく、上蓋からのパッキンの脱落を確実に防止できる。また、補強枠を取り外せば、パッキン装着溝からパッキンを容易に引き抜くことができ、パッキンの交換に支障を来たすことはない。更に、合成樹脂製の蓋本体の反りを防止する補強枠をパッキンの抜け止め用の部材に兼用できるため、コスト的にも有利である。
【０００８】
尚、折曲げ部の先端のエッジで係止部に傷を付けることを防止するため、折曲げ部の先端に折返し部を形成することが望ましい。
【発明を実施するための最良の形態】
【０００９】
以下、本発明の実施形態を図面を参照して説明する。図１は本発明によるパッキンの取付け構造を具備する食器洗浄機の一例を示す概略側面図、図２は図１の食器洗浄機の上蓋の上下反転した状態の斜視図、図３は上蓋のパッキンの取付け部分の断面図である。
【００１０】
図１に示す食器洗浄機は、ハウジング１内から前方に引出し自在な洗浄槽２を備える。洗浄槽２は、上面が開放面になっており、洗浄槽２をハウジング１から引き出した状態で、洗浄槽２に上方から食器を出し入れする。ハウジング１内の上部には、洗浄槽２用の上蓋３がガイド機構(図示省略)により上下方向に移動自在に案内され、且つ、ばね(図示省略)により上方に付勢された状態で配置されている。
【００１１】
洗浄槽２の左右の各外側面の上部にはカム溝４が形成されている。また、上蓋３の左右の各側辺部に下方にのびる動作板５を連結し、この動作板５に、カム溝４に係合するローラ６を軸着している。そして、ハウジング１への洗浄槽２の押し込み動作でローラ６がカム溝４の前端の下方への傾斜部４ａに係合したとき、傾斜部４ａを介してローラ６に作用する洗浄槽２の後方への押し込み力の下方への分力により上蓋３が下降され、洗浄槽２の上面が閉塞される。尚、上蓋３は、後部においても上記と同様のカム溝とローラとにより引き下げられ、水平姿勢を保ったまま下降する。
【００１２】
上蓋３は、図２に示す如く、合成樹脂製の蓋本体３０と、蓋本体３０の周縁に取り付けた金属製の補強枠３１とで構成されている。また、上蓋３の下面周縁部には、洗浄槽２の上面周縁部に当接して洗浄槽２をシールするパッキン７が装着されている。パッキン７は、シリコーンゴム等の弾性材料の押し出し成形品で構成されており、この押し出し成形品を所定長さに切断した後、その両端を加硫接着してループ状のパッキン７を得ている。
【００１３】
パッキン７の詳細は、図３に示す通りであり、洗浄槽２の上面周縁部に当接するチューブ状のパッキン本体７ａと、パッキン本体７ａの上部から上方に延出された、上蓋３に対する係止部７ｂとを有する。係止部７ｂの上端には、上蓋３の外縁側に屈曲するフック部７ｃが形成されている。そして、上蓋３の蓋本体３０の下面周縁部に、フック部７ｃを受け入れ可能な幅のパッキン装着溝３２を形成している。
【００１４】
また、上蓋３の補強枠３１は、ねじ３３で蓋本体３０の周縁に締結されている。そして、補強枠３１の上縁と下縁とに夫々内方に屈曲する折曲げ部３１ａ,３１ｂを形成し、両折曲げ部３１ａ,３１ｂで蓋本体３０の周縁部を上下から挟むことにより、蓋本体３０の反りを防止できるようにしている。更に、補強枠３１の下縁の折曲げ部３１ｂをパッキン装着溝３２に達するように形成して、パッキン装着溝３２に挿入されたフック部７ｃの下面に折曲げ部３１ｂを係合させている。また、折曲げ部３１ｂの先端にはヘミング加工による折返し部３１ｃが形成されている。
【００１５】
以上の構成によれば、食器洗浄中に飯粒等の粘着性を持つ物質がパッキン７に飛散して、パッキン７が洗浄槽２に貼り付いても、パッキン装着溝３２に対しフック部７ｃが折曲げ部３１ｂによって抜け止めされるため、洗浄槽２の引出し動作で上蓋３を上昇させる際に、パッキン７が上蓋３から脱落することを確実に防止できる。また、折返し部３１ｃを形成することにより、折曲げ部３１ｂの先端のエッジで係止部７ｂに傷を付けること防止できる。更に、補強枠３１を取り外せば、パッキン装着溝３２からパッキン７を簡単に引き抜くことができ、パッキン７の交換に支障を来たすこともない。
【００１６】
尚、本実施形態では、補強枠３１を蓋本体３０の前後左右の４辺に対応させて４分割している。そして、パッキン７の蓋本体３０の４隅における各コーナ部では、蓋本体３０の下面にねじ止めした合成樹脂製の係合板３４をフック部７ｃの下面に係合させて、コーナ部におけるパッキン７の抜け止めを図っている。
【００１７】
尚、上記実施形態では、パッキン本体７ａをチューブ状に形成したが、パッキン本体は中実であっても良い。また、上記実施形態では、上蓋３をカム溝４とローラ６とから成るカム機構により洗浄槽２の出し入れに連動して上下動させているが、洗浄槽２の出し入れに連動して上蓋３を上下動させる機構はリンク機構等の他の機構であっても良く、また、上蓋３を独立した駆動源で上下動させるようにしても良い。
【図面の簡単な説明】
【００１８】
【図１】本発明によるパッキンの取付け構造を具備する食器洗浄機の一例を示す概略側面図。
【図２】図１の食器洗浄機の上蓋の上下反転した状態の斜視図。
【図３】上蓋のパッキンの取付け部分の断面図。
【符号の説明】
【００１９】
１…ハウジング、２…洗浄槽、３…上蓋、３０…蓋本体、３１…補強枠、３１ｂ…折曲げ部、３１ｃ…折返し部、３２…パッキン装着溝、７…パッキン、７ａ…パッキン本体、７ｂ…係止部、７ｃ…フック部。
【図１】
2005177281.tif 000003
【図２】
2005177281.tif 000004
【図３】
2005177281.tif 000005